【手続補正書】
【提出日】平成20年5月13日(2008.5.13)
【手続補正１】
【補正対象書類名】特許請求の範囲
【補正対象項目名】全文
【補正方法】変更
【補正の内容】
【特許請求の範囲】
【請求項１】
被プリント媒体を搬送方向に搬送する動作と、前記被プリント媒体上の領域および前記被プリント媒体の端部からはみ出した領域に対して着色剤を付与する動作とにより、前記被プリント媒体に画像をプリントする際のプリント条件を設定するためのプリント条件設定方法であって、
第１のはみ出し量レベルと該第１のはみ出し量レベルよりも前記端部からのはみ出し量が小さい第２のはみ出し量レベルとを含む複数のはみ出し量レベルの中から１つのはみ出し量レベルを指定する工程と、
前記指定したはみ出し量レベルに応じて、前記搬送方向の下流側の端部からのはみ出し量および前記搬送方向の上流側の端部からのはみ出し量を設定する工程とを有し、
前記第１のはみ出し量レベルが指定されたときに設定される前記下流側の端部からのはみ出し量は前記第１のはみ出し量レベルが指定されたときに設定される前記上流側の端部からのはみ出し量よりも小さく、
前記第２のはみ出し量レベルが指定されたときに設定される前記下流側の端部からのはみ出し量は前記第２のはみ出し量レベルが指定されたときに設定される前記上流側の端部からのはみ出し量よりも小さく、
前記第１のはみ出し量レベルが指定されたときに設定される前記下流側の端部からのはみ出し量に対する、前記第２のはみ出し量レベルが指定されたときに設定される前記下流側の端部からのはみ出し量の割合は、前記第１のはみ出し量レベルが指定されたときに設定される前記上流側の端部からのはみ出し量に対する、前記第２のはみ出し量レベルが指定されたときに設定される前記上流側の端部からのはみ出し量の割合よりも小さいことを特徴とするプリント条件設定方法。
【請求項２】
前記第１のはみ出し量レベルは、前記複数のはみ出し量レベルのうち前記端部からのはみ出し量が最も大きいはみ出し量レベルであり、
前記第２のはみ出し量レベルは、前記複数のはみ出し量レベルのうち前記端部からのはみ出し量が２番目に大きいはみ出し量レベルであることを特徴とする請求項１に記載のプリント条件設定方法。
【請求項３】
前記複数のはみ出し量レベルは第３のはみ出し量レベルを含み、
前記第３のはみ出し量レベルが指定されたときに設定される前記端部からのはみ出し量は０であることを特徴とする請求項１または２に記載のプリント条件設定方法。
【請求項４】
前記指定したはみ出し量レベルに応じて、前記搬送方向と直交する方向の両端部からのはみ出し量がさらに設定されることを特徴とする請求項１ないし３のいずれかに記載のプリント条件設定方法。
【請求項５】
前記上流側の端部からのはみ出し量および前記両端部からのはみ出し量は、前記複数のはみ出し量レベルにおいて等間隔であることを特徴とする請求項４に記載のプリント条件設定方法。
【請求項６】
請求項１ないし５のいずれかに記載のプリント条件設定方法をコンピュータに実行させるためのプログラム。
【請求項７】
被プリント媒体を搬送方向に搬送する動作と、前記被プリント媒体上の領域および前記被プリント媒体の端部からはみ出した領域に対して着色剤を付与する動作とにより、前記被プリント媒体に画像をプリントするプリンタにおけるプリント条件を設定するためのプリント条件設定装置であって、
請求項１ないし５のいずれかに記載のプリント条件設定方法を実行可能な設定手段を備えたことを特徴とするプリント条件設定装置。
【手続補正２】
【補正対象書類名】明細書
【補正対象項目名】発明の名称
【補正方法】変更
【補正の内容】
【発明の名称】プリント条件設定方法、プログラムおよびプリント条件設定装置
【手続補正３】
【補正対象書類名】明細書
【補正対象項目名】０００１
【補正方法】変更
【補正の内容】
【０００１】
本発明は、被記録媒体に余白を設けず画像をプリントする、いわゆる「縁なしプリント」を実現するためのプリント条件設定方法、プログラムおよびプリント条件設定装置に関するものである。
【手続補正４】
【補正対象書類名】明細書
【補正対象項目名】０００９
【補正方法】変更
【補正の内容】
【０００９】
本発明の目的は、縁なしプリントを行う場合に、インク付与領域を必要最小限の大きさに設定して、インクミストの発生を低減することができるプリント条件設定方法、プログラムおよびプリント条件設定装置を提供することにある。
【手続補正５】
【補正対象書類名】明細書
【補正対象項目名】００１０
【補正方法】変更
【補正の内容】
【００１０】
本発明のプリント条件設定方法は、被プリント媒体を搬送方向に搬送する動作と、前記被プリント媒体上の領域および前記被プリント媒体の端部からはみ出した領域に対して着色剤を付与する動作とにより、前記被プリント媒体に画像をプリントする際のプリント条件を設定するためのプリント条件設定方法であって、第１のはみ出し量レベルと該第１のはみ出し量レベルよりも前記端部からのはみ出し量が小さい第２のはみ出し量レベルとを含む複数のはみ出し量レベルの中から１つのはみ出し量レベルを指定する工程と、前記指定したはみ出し量レベルに応じて、前記搬送方向の下流側の端部からのはみ出し量および前記搬送方向の上流側の端部からのはみ出し量を設定する工程とを有し、前記第１のはみ出し量レベルが指定されたときに設定される前記下流側の端部からのはみ出し量は前記第１のはみ出し量レベルが指定されたときに設定される前記上流側の端部からのはみ出し量よりも小さく、前記第２のはみ出し量レベルが指定されたときに設定される前記下流側の端部からのはみ出し量は前記第２のはみ出し量レベルが指定されたときに設定される前記上流側の端部からのはみ出し量よりも小さく、前記第１のはみ出し量レベルが指定されたときに設定される前記下流側の端部からのはみ出し量に対する、前記第２のはみ出し量レベルが指定されたときに設定される前記下流側の端部からのはみ出し量の割合は、前記第１のはみ出し量レベルが指定されたときに設定される前記上流側の端部からのはみ出し量に対する、前記第２のはみ出し量レベルが指定されたときに設定される前記上流側の端部からのはみ出し量の割合よりも小さいことを特徴とする。
【手続補正６】
【補正対象書類名】明細書
【補正対象項目名】００１１
【補正方法】変更
【補正の内容】
【００１１】
本発明のプログラムは、上記のプリント条件設定方法をコンピュータに実行させるためのプログラムである。
【手続補正７】
【補正対象書類名】明細書
【補正対象項目名】００１２
【補正方法】変更
【補正の内容】
【００１２】
本発明のプリント条件設定装置は、被プリント媒体を搬送方向に搬送する動作と、前記被プリント媒体上の領域および前記被プリント媒体の端部からはみ出した領域に対して着色剤を付与する動作とにより、前記被プリント媒体に画像をプリントするプリンタにおけるプリント条件を設定するためのプリント条件設定装置であって、上記のプリント条件設定方法を実行可能な設定手段を備えたことを特徴とする。
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】